(57)【要約】【課題】シートの位置ズレを抑制することが可能なシート収納カセット及びそれを備えた画像形成装置を提供する。【解決手段】給紙カセット（シート収納カセット）４０は、用紙収容部Ｓと、用紙収容部Ｓの底面部４１に設けられる固定ラック４１ｄと、固定ラック４１ｄに沿って移動可能であるとともに、用紙２６の位置決めを行う幅合わせカーソル５０ａと、を備える。幅合わせカーソル５０ａは、用紙２６の側端に当接する規制部５２ｂと、固定ラック４１ｄの固定ラック歯４１ｃに係合する１つ以上の係合突起６０を有するロック部５５と、を含む。係合突起６０は、下方に向かって矢印Ｃ方向に傾斜する第２傾斜面６０ａと、固定ラック歯４１ｃの第１鉛直面４１ｆに係合する第２鉛直面６０ｂと、を有する。少なくとも１つの係合突起６０は、下方に向かって矢印Ｃ´方向に傾斜するとともに係合突起６０の下端部まで延びる第３傾斜面６０ｄを有する。【選択図】図６
2018154480.tif 000002
【特許請求の範囲】
【請求項１】
装置本体のカセット装着部に対して挿抜可能なシート収納カセットであって、
シートを収容するシート収容部と、
前記シート収容部にシート搬送方向上流側の部分を支点として揺動可能に設けられ、上面にシートが積載されるシート積載板と、
前記シート収容部の底面部に設けられ所定方向に沿って延びるラックと、
前記ラックに沿って移動可能であるとともに、前記シートの端縁に当接して位置決めを行うカーソルと、
を備え、
前記ラックは、前記所定方向に所定ピッチで連続して設けられる複数のラック歯を有し、
前記ラック歯のそれぞれは、第１鉛直面と、下方に向かって前記シートの端縁から規制部に向かう第１方向に傾斜する第１傾斜面と、により歯先が形成されるノコギリ歯であり、
前記カーソルは、カーソル本体部と、前記シートの端縁に当接する規制部と、前記ラック歯に係合する１つ以上の係合突起を有し前記カーソルの移動を規制するロック部と、を含み、
前記係合突起は、下方に向かって前記第１方向に傾斜する第２傾斜面と、前記第２傾斜面に対して前記第１方向に配置され、前記第１鉛直面に係合する第２鉛直面と、を有し、
少なくとも１つの前記係合突起は、前記第２傾斜面に対して前記第１方向に配置され、下方に向かって前記第１方向とは反対の第２方向に傾斜するとともに前記係合突起の下端部まで延びる第３傾斜面を有することを特徴とするシート収納カセット。
【請求項２】
前記ロック部は、一端部が前記カーソル本体部に接続され前記規制部の外側に延設された接続片と、前記接続片の他端部から上方に延設されたレバー部と、を含み、
前記係合突起は、前記第１方向に沿って複数配置され、
前記第３傾斜面は、少なくとも最も前記接続部側に配置される前記係合突起に設けられていることを特徴とする請求項１に記載のシート収納カセット。
【請求項３】
前記係合突起は、前記第３傾斜面を有する第１係合突起と、前記第３傾斜面を有さない第２係合突起と、を含むことを特徴とする請求項１または２に記載のシート収納カセット。
【請求項４】
前記第１係合突起は、前記第２係合突起よりも下方に突出するように形成されていることを特徴とする請求項３に記載のシート収納カセット。
【請求項５】
前記係合突起の下端には、水平方向に延びる下面が形成されており、
前記第１係合突起の前記下面の前記第１方向の長さは、前記第２係合突起の前記下面の前記第１方向の長さよりも短いことを特徴とする請求項３または４に記載のシート収納カセット。
【請求項６】
前記第３傾斜面は、前記第２傾斜面と前記第２鉛直面との間に配置されていることを特徴とする請求項１〜５のいずれか１項に記載のシート収納カセット。
【請求項７】
請求項１〜６のいずれか１項に記載のシート収納カセットを備えることを特徴とする画像形成装置。
【発明の詳細な説明】
【技術分野】
【０００１】
本発明は、デジタル複写機、レーザープリンター等の画像形成装置に用いられる、シートを収納するシート収納カセット及びそれを備えた画像形成装置に関するものである。
【背景技術】
【０００２】
従来、用紙（シート）を複数枚積層して収納するとともに、画像形成動作に応じて画像形成装置本体の画像形成部へ用紙を１枚ずつ分離して搬送する給紙カセット（シート収納カセット）が広く用いられている。
【０００３】
このような給紙カセットとして、用紙を収納する用紙収容部と、用紙収容部に配置され、上面に用紙が積載される用紙積載板と、用紙収容部の底面部に形成され給紙方向に沿って延びるラックと、ラックに沿って移動可能であるとともに、用紙の後端（端縁）に当接して位置決めを行う後端カーソルと、が設けられた給紙カセットが知られている。
【０００４】
ラックには、給紙方向に所定のピッチで配置される複数のラック歯が設けられており、後端カーソルには、ラック歯に係合する複数の係合突起と、操作することで係合突起を上方に移動させるレバー部と、が設けられている。レバー部を操作した状態で後端カーソルを用紙の後端に当接させた後、レバー部の操作を解除することによって、係合突起がラック歯に係合し、カーソルの移動が規制される。このようにして、用紙の後端が所定位置に位置決めされる。
【０００５】
なお、複数のラック歯を有するラックと、ラック歯に係合する複数の係合突起を有するカーソルと、を備えた給紙カセットは、例えば特許文献１および特許文献２に開示されている。
【先行技術文献】
【特許文献】
【０００６】
【特許文献１】特開２００５−１４５７０６号公報
【特許文献２】特開２０１４−１６２５６２号公報
【発明の概要】
【発明が解決しようとする課題】
【０００７】
しかしながら、上記従来の給紙カセットでは、レバー部を操作した状態で後端カーソルを用紙の後端に当接させた後、レバー部の操作を解除した際に、用紙の圧力で後端カーソルが外側（用紙から離れる方向）に移動し、用紙の後端が位置ズレする場合があるという問題点がある。
【０００８】
本発明は、上記のような課題を解決するためになされたものであり、本発明の目的は、シートの位置ズレを抑制することが可能なシート収納カセット及びそれを備えた画像形成装置を提供することである。
【課題を解決するための手段】
【０００９】
上記目的を達成するために、本発明の第１の局面のシート収納カセットは、装置本体のカセット装着部に対して挿抜可能なシート収納カセットであって、シートを収容するシート収容部と、シート収容部にシート搬送方向上流側の部分を支点として揺動可能に設けられ、上面にシートが積載されるシート積載板と、シート収容部の底面部に設けられ所定方向に沿って延びるラックと、ラックに沿って移動可能であるとともに、シートの端縁に当接して位置決めを行うカーソルと、を備える。ラックは、所定方向に所定ピッチで連続して設けられる複数のラック歯を有し、ラック歯のそれぞれは、第１鉛直面と、下方に向かってシートの端縁から規制部に向かう第１方向に傾斜する第１傾斜面と、により歯先が形成されるノコギリ歯である。カーソルは、カーソル本体部と、シートの端縁に当接する規制部と、ラック歯に係合する１つ以上の係合突起を有しカーソルの移動を規制するロック部と、を含む。係合突起は、下方に向かって第１方向に傾斜する第２傾斜面と、第２傾斜面に対して第１方向に配置され、第１鉛直面に係合する第２鉛直面と、を有する。少なくとも１つの係合突起は、第２傾斜面に対して第１方向に配置され、下方に向かって第１方向とは反対の第２方向に傾斜するとともに係合突起の下端部まで延びる第３傾斜面を有する。
【発明の効果】
【００１０】
本発明の第１の局面のシート収納カセットによれば、少なくとも１つの係合突起は、第２傾斜面に対して第１方向に配置され、下方に向かって第１方向とは反対の第２方向に傾斜するとともに係合突起の下端部まで延びる第３傾斜面を有する。これにより、レバー部を操作した状態でカーソルをシートの端縁に当接させた後、レバー部の操作を解除した際にシートの圧力でカーソルが第１方向（シートから離れる方向）に移動した場合であっても、係合突起の第３傾斜面がラック歯に係合し、係合突起は第２方向に移動し（戻り）ながら下方に移動する。このため、係合突起はラックの所望の位置に係合するので、シートの端縁が位置ズレするのを抑制することができる。
【図面の簡単な説明】
【００１１】
【図１】本発明の第１実施形態の給紙カセットが搭載される画像形成装置の内部構成を示す概略図である。
【図２】本発明の第１実施形態の給紙カセットの構造を示した斜視図である。
【図３】本発明の第１実施形態の給紙カセットの幅合わせカーソル５０ａの構造を示した斜視図である。
【図４】本発明の第１実施形態の給紙カセットの幅合わせカーソル５０ａの構造を下方から示した斜視図である。
【図５】本発明の第１実施形態の給紙カセットの幅合わせカーソルのロック部およびラック周辺の構造を示した断面図である。
【図６】本発明の第１実施形態の給紙カセットの幅合わせカーソルの係合突起およびラック歯の構造を示した拡大断面図である。
【図７】本発明の第１実施形態の給紙カセットの幅合わせカーソルの係合突起の構造を示した拡大断面図である。
【図８】本発明の第１実施形態の給紙カセットの幅合わせカーソルの係合突起およびラック歯の構造を示した拡大断面図であり、用紙の圧力によって幅合わせカーソルが矢印Ｃ方向に少しだけ移動した状態を示した図である。
【図９】本発明の第２実施形態の給紙カセットの幅合わせカーソルの係合突起およびラック歯の構造を示した拡大断面図である。
【図１０】本発明の第２実施形態の給紙カセットの幅合わせカーソルの係合突起の構造を示した拡大断面図である。
【図１１】本発明の第２実施形態の給紙カセットの幅合わせカーソルの係合突起およびラック歯の構造を示した拡大断面図であり、用紙の圧力によって幅合わせカーソルが矢印Ｃ方向に少しだけ移動した状態を示した図である。
【発明を実施するための形態】
【００１２】
以下、本発明の実施形態について図面を参照して説明する。
【００１３】
（第１実施形態）
図１は、本発明の第１実施形態の給紙カセット４０が搭載される画像形成装置１００の内部構成を示す概略図であり、右側を画像形成装置１００の前方側として図示している。図１に示すように、画像形成装置１００（ここではモノクロプリンター）は、画像形成装置１００本体の下部に積載された用紙（シート）２６を収容する給紙カセット（シート収納カセット）４０を備えている。この給紙カセット４０の上方には、画像形成装置１００本体の前方から後方へ略水平に延び、更に上方へ延びて画像形成装置１００本体の上面に形成された排紙部３に至る用紙搬送路４が形成されており、この用紙搬送路４に沿って上流側から順に、ピックアップローラー２９、フィードローラー３０ａ、中間搬送ローラー、レジストローラー対、画像形成部９、定着装置１０及び排出ローラー対が配置されている。更に、画像形成装置１００内には、上記の各ローラー、画像形成部９、定着装置１０等の動作を制御する制御部（ＣＰＵ）９０が配置されている。
【００１４】
給紙カセット４０には、用紙搬送方向上流側に設けられた回動支点によって、給紙カセット４０に対して回動可能に支持された用紙積載板（シート積載板）４６が備えられており、用紙積載板４６の上面上に積載された用紙２６がピックアップローラー２９に押圧されるようになっている。また、給紙カセット４０の前方側には、フィードローラー３０ａと、フィードローラー３０ａに圧接するように配設されたリタードローラー３０ｂとから成る給送ローラー対３０が設けられており、ピックアップローラー２９によって複数枚の用紙２６が同時に給送された場合には、これらフィードローラー３０ａとリタードローラー３０ｂとによって用紙２６が捌かれ、最上位の１枚のみが搬送されるよう構成されている。
【００１５】
画像形成部９は、電子写真プロセスによって用紙２６に所定のトナー像を形成するものであり、図１において時計回り方向に回転可能に軸支された像担持体である感光体ドラム１４と、この感光体ドラム１４の周囲に配置される帯電装置１５、現像装置１６、クリーニング装置１７、用紙搬送路４を挟んで感光体ドラム１４に対向するように配置される転写ローラー１８及び感光体ドラム１４の上方に配置される露光装置（ＬＳＵ）１９から構成されている。
【００１６】
パーソナルコンピューター等の上位装置から画像データが入力されると、先ず、帯電装置１５によって感光体ドラム１４の表面を一様に帯電させる。次いで、露光装置（ＬＳＵ）１９からのレーザービームにより感光体ドラム１４上に入力された画像データに基づく静電潜像が形成される。さらに、現像装置１６により静電潜像にトナーが付着されて感光体ドラム１４の表面にトナー像が形成される。感光体ドラム１４の表面に形成されたトナー像は、転写ローラー１８により感光体ドラム１４と転写ローラー１８とのニップ部（転写位置）に供給された用紙２６へと転写される。
【００１７】
トナー像が転写された用紙２６は、感光体ドラム１４から分離されて定着装置１０に向けて搬送され、定着装置１０に備えられた加熱ローラー及び加圧ローラーによって加熱、加圧され、用紙２６に転写されたトナー像が定着される。そして、用紙２６は、排出ローラー対によって排紙部３に排出される。
【００１８】
次に、給紙カセット４０の構成について説明する。図２は、本発明の第１実施形態の給紙カセット４０の構造を示した斜視図である。図２において、画像形成装置１００本体に対する給紙カセット４０の挿入方向を矢印Ａ、引き出し方向を矢印Ａ´で示し、給紙カセット４０の給紙方向（シート搬送方向）を矢印Ｂで示す。また、後述する幅合わせカーソル５０ａの規制部５２ｂが用紙２６の側端（端縁）から遠ざかる方向を矢印Ｃ、近づく方向を矢印Ｃ´で示す。
【００１９】
給紙カセット４０は、画像形成装置１００本体のカセット装着部１（図１参照）に対して着脱可能に形成されている。給紙カセット４０は図２に示すように、底面部４１の周縁部に側壁４２ａ〜４２ｄが立設されて上面が開口した平坦な箱状に構成され、その上面方向から用紙２６を積載して収容する。なお、底面部４１および側壁４２ａ〜４２ｄによって、用紙２６を収容する用紙収容部（シート収容部）Ｓが形成されている。
【００２０】
給紙カセット４０の挿入方向に対し上流側の側壁４２ａにはカセットカバー４４が装着されている。カセットカバー４４は、前面が外部に露出して画像形成装置１００（図１参照）本体の外装面の一部を構成する。
【００２１】
用紙２６（図１参照）が積載される用紙積載板４６は、給紙方向上流側（図２の左手前側）の左右の揺動軸４６ａを支点として、給紙方向下流側（図２の右奥側）の端部がコイルバネ（図示せず）によって底面部４１に対し上下に昇降可能に設けられている。また、用紙積載板４６の幅方向（給紙方向と直交する方向、矢印ＣＣ´方向）両側には、用紙積載板４６に積載される用紙２６の幅方向の位置決めを行う一対の幅合わせカーソル５０ａ、５０ｂが、底面部４１に形成された案内溝４１ａに沿ってそれぞれ用紙幅方向（矢印ＣＣ´方向）に往復移動可能に設けられている。また、用紙搬送路４（図１参照）に向けて用紙２６が矢印Ｂ方向に送出されるため、用紙２６の後端を揃える後端カーソル７０は、底面部４１に形成された案内溝４１ｂに沿って給紙方向（矢印Ｂ方向）と平行に往復移動可能に設けられている。なお、幅合わせカーソル５０ａは、本発明の「カーソル」の一例である。
【００２２】
この幅合わせカーソル５０ａ、５０ｂ、及び後端カーソル７０を、積載される用紙サイズに合わせて移動させることにより、用紙２６を給紙カセット４０内の所定位置に収納する。
【００２３】
給紙カセット４０の挿入または引き出し方向（矢印ＡＡ´方向）に対し平行な側壁４２ｂ、４２ｄの外側にはガイドレール４８が付設されている。画像形成装置１００本体側にはガイドレール４８を摺動可能に支持するレール支持部（図示せず）が設けられており、ガイドレール４８をレール支持部に沿って摺動させることで、給紙カセット４０は画像形成装置１００本体に対し挿入及び引き出し可能となっている。
【００２４】
なお、側壁４２ａに沿って形成された搬送ガイドの用紙幅方向中央部にはリタードローラー３０ｂが配置されており、給紙カセット４０を画像形成装置１００本体に装着したとき、画像形成装置１００本体側のフィードローラー３０ａと給紙カセット４０側のリタードローラー３０ｂとが接触して給送ローラー対３０を形成する。
【００２５】
各幅合わせカーソル５０ａおよび５０ｂは図２および図３に示すように、底面部４１に平行で用紙２６の幅方向の端部が積載されるカーソル本体部５２ａと、カーソル本体部５２ａから立設され、用紙２６の幅方向の端縁（側端）に当接する規制部５２ｂと、を含んでいる。各カーソル本体部５２ａには、底面部４１の内部に配置され用紙幅方向に沿って延在するラック部５４が設けられている。
【００２６】
各ラック部５４の矢印ＡＡ´方向の対向面には、用紙幅方向（矢印ＣＣ´方向）に延びるラック歯５４ａが形成されている。各ラック部５４のラック歯５４ａは、底面部４１の用紙積載板４６の下方の位置に回転可能に取り付けられたピニオンギア（図示せず）のピニオン歯に係合している。ラック部５４およびピニオンギア（図示せず）によって、ラックピニオン機構が構成されている。
【００２７】
ピニオンギア（図示せず）は、ラック部５４の移動に伴って回転可能であり、一方の幅合わせカーソル５０ａ（又は５０ｂ）を用紙幅方向に移動させると、ピニオンギア（図示せず）が回転し、これに連動して他方の幅合わせカーソル５０ｂ（又は５０ａ）も反対方向に同一量だけ移動する。即ち、各幅合わせカーソル５０ａおよび５０ｂは用紙幅方向の中心線に対して左右対称に移動する。
【００２８】
ここで、本実施形態では、一方の幅合わせカーソル（ここでは幅合わせカーソル５０ａ）のカーソル本体部５２ａには図３および図４に示すように、ロック部５５が設けられている。
【００２９】
ロック部５５は、接続片５６、レバー部５８および係合突起６０によって構成されている。接続片５６の用紙幅方向内側（矢印Ｃ´方向）の端部（一端部）は、カーソル本体部５２ａに繋がっており、樹脂により一体で形成されている。接続片５６は、カーソル本体部５２ａに接続される接続部５６ａを有し、接続部５６ａを支点として上下方向に弾性変形可能である。接続片５６の最下面には図４および図５に示すように、下方に突出する複数（ここでは３個）の係合突起６０が形成されている。また、底面部４１には、用紙幅方向に延びるとともに、係合突起６０に係合する複数の固定ラック歯４１ｃを有する固定ラック４１ｄが設けられている。幅合わせカーソル５０ａは、固定ラック４１ｄに沿って移動可能である。なお、固定ラック歯４１ｃおよび固定ラック４１ｄは、それぞれ、本発明の「ラック歯」および「ラック」の一例である。
【００３０】
また、接続片５６の用紙幅方向外側（矢印Ｃ方向、第１方向）の端部（他端部）には、上方に延びるとともに規制部５２ｂの用紙幅方向外側に対向するレバー部５８が一体で形成されている。レバー部５８が用紙幅方向内側（矢印Ｃ´方向）に押圧され接続片５６が上方に弾性変形されることによって、係合突起６０と固定ラック４１ｄとの係合が解除される。
【００３１】
複数の係合突起６０は図６および図７に示すように、用紙幅方向（矢印ＣＣ´方向）に所定ピッチで連続して設けられている。各係合突起６０は、下方に向かって用紙２６の側端から規制部５２ｂに向かう方向（矢印Ｃ方向、第１方向）に傾斜する第２傾斜面６０ａと、第２傾斜面６０ａに対して矢印Ｃ方向に配置され、鉛直下方向に延びる第２鉛直面６０ｂと、第２傾斜面６０ａと第２鉛直面６０ｂとの間に配置され、係合突起６０の下端に設けられるとともに水平方向に延びる下面６０ｃと、を有する。なお、本実施形態では、複数の係合突起６０の下方への突出量Ｈ６０は全て同じであるため、ロック部５５の接続片５６が弾性変形していない水平状態（図６および図７の状態）で下面６０ｃの高さ位置は全て同じである。
【００３２】
固定ラック４１ｄの複数の固定ラック歯４１ｃは、用紙幅方向（所定方向）に係合突起６０と同じピッチ（所定ピッチ）で連続して設けられている。各固定ラック歯４１ｃは、下方に向かって用紙２６の側端から規制部５２ｂに向かう方向（矢印Ｃ方向、第１方向）に傾斜する第１傾斜面４１ｅと、第１傾斜面４１ｅに対して矢印Ｃ´方向（第２方向）に配置され、鉛直上方向に延びる第１鉛直面４１ｆと、第１傾斜面４１ｅと第１鉛直面４１ｆとの間に配置され、固定ラック歯４１ｃの上端に設けられるとともに水平方向に延びる上面４１ｇと、を有する。すなわち、各固定ラック歯４１ｃは、第１傾斜面４１ｅおよび第１鉛直面４１ｆによって歯先が形成されるノコギリ歯である。係合突起６０の第２鉛直面６０ｂが固定ラック歯４１ｃの第１鉛直面４１ｆに係合することによって、幅合わせカーソル５０ａの用紙幅方向外側（矢印Ｃ方向）への移動が規制される。なお、複数の固定ラック歯４１ｃは、全て同じ大きさで同じ形状に形成されている。
【００３３】
また、複数の係合突起６０は、第３傾斜面６０ｄが形成された１つの第１係合突起６１と、第３傾斜面６０ｄが形成されていない２つの第２係合突起６２と、を含んでいる。第１係合突起６１は、複数の係合突起６０の中で、最も接続部５６ａ側に配置されている。第１係合突起６１の第３傾斜面６０ｄは、第２傾斜面６０ａに対して矢印Ｃ方向に配置され、下方に向かって矢印Ｃ´方向（第２方向）に傾斜するとともに係合突起６０の下端部まで延びている。また、第３傾斜面６０ｄは、下面６０ｃと第２鉛直面６０ｂとの間に配置されており、下面６０ｃと第２鉛直面６０ｂとを接続している。なお、第１係合突起６１の下面６０ｃの矢印Ｃ方向の長さは、第２係合突起６２の下面６０ｃの矢印Ｃ方向の長さよりも短い。
【００３４】
この給紙カセット４０では、用紙収容部Ｓに用紙２６を収納し、レバー部５８を操作してロック部５５の接続片５６を上方に弾性変形させた状態で幅合わせカーソル５０ａを用紙２６の側端に当接させた後、レバー部５８の操作を解除することによって、接続片５６が水平状態に戻り、係合突起６０が固定ラック歯４１ｃに係合して用紙２６の幅方向の位置決めを行うことが可能である。
【００３５】
ここで、接続片５６は接続部５６ａを支点として上下方向に弾性変形するため、接続片５６を上方に弾性変形させた状態で、複数の係合突起６０のうちの最も接続部５６ａ側に配置される第１係合突起６１は、他の係合突起６０（第２係合突起６２）に比べて下方に配置される。これにより、接続片５６が水平状態に戻る際に、第１係合突起６１が最初に固定ラック歯４１ｃに係合する。このため、図８に示すように、レバー部５８の操作を解除した際に用紙２６の圧力で幅合わせカーソル５０ａが矢印Ｃ方向（用紙２６から離れる方向）に少し移動した場合であっても、第１係合突起６１の第３傾斜面６０ｄが固定ラック歯４１ｃに案内され、係合突起６０は矢印Ｃ´方向に移動しながら固定ラック歯４１ｃ同士の間に嵌り込む。このため、係合突起６０は固定ラック４１ｄの所望の位置に係合する。
【００３６】
本実施形態では、上記のように、第１係合突起６１は、第２傾斜面６０ａに対して矢印Ｃ方向に配置され、下方に向かって矢印Ｃ´方向に傾斜するとともに係合突起６０の下端部まで延びる第３傾斜面６０ｄを有する。これにより、レバー部５８を操作した状態で幅合わせカーソル５０ａを用紙２６の側端に当接させた後、レバー部５８の操作を解除した際に用紙２６の圧力で幅合わせカーソル５０ａが矢印Ｃ方向（用紙２６から離れる方向）に移動した場合であっても、係合突起６０の第３傾斜面６０ｄが固定ラック歯４１ｃに係合し、係合突起６０は矢印Ｃ´方向に移動し（戻り）ながら下方に移動する。このため、係合突起６０は固定ラック４１ｄの所望の位置に係合するので、用紙２６の側端が位置ズレするのを抑制することができる。
【００３７】
また、上記のように、第３傾斜面６０ｄは、最も接続部５６ａ側に配置される係合突起６０（第１係合突起６１）に設けられている。ロック部５５の接続片５６が接続部５６ａを支点として上下方向に弾性変形可能に設けられている場合、最も接続部５６ａ側に配置される係合突起６０（第１係合突起６１）が最初に固定ラック歯４１ｃに係合する。このため、第３傾斜面６０ｄを確実に固定ラック歯４１ｃに係合させることができるので、用紙２６の側端が位置ズレするのを確実に抑制することができる。
【００３８】
また、上記のように、係合突起６０は、第３傾斜面６０ｄを有する第１係合突起６１と、第３傾斜面６０ｄを有さない第２係合突起６２と、を含む。これにより、第２係合突起６２の第２鉛直面６０ｂは狭く（上下方向に短く）ならないので、第２鉛直面６０ｂと固定ラック歯４１ｃの第１鉛直面４１ｆとの係合面積を確保することができる。
【００３９】
また、上記のように、第１係合突起６１の下面６０ｃの矢印Ｃ方向の長さは、第２係合突起６２の下面６０ｃの矢印Ｃ方向の長さよりも短い。これにより、第１係合突起６１の下面６０ｃが固定ラック歯４１ｃ上に配置されるのを抑制することができる。すなわち、第３傾斜面６０ｄが固定ラック歯４１ｃに係合しやすくなるので、用紙２６の側端が位置ズレするのをより抑制することができる。
【００４０】
また、上記のように、第３傾斜面６０ｄは、第２傾斜面６０ａと第２鉛直面６０ｂとの間に配置されている。すなわち、第１係合突起６１にも第２鉛直面６０ｂが設けられている。これにより、第２鉛直面６０ｂと固定ラック歯４１ｃの第１鉛直面４１ｆとの係合面積を容易に大きくことができる。
【００４１】
また、上記のように、接続片５６の矢印Ｃ方向の端部には、上方に延びるとともに規制部５２ｂの矢印Ｃ方向に対向するレバー部５８が設けられている。これにより、レバー部５８を規制部５２ｂに向かって押圧することによって、接続片５６を上方に容易に弾性変形させることができる。
【００４２】
（第２実施形態）
本発明の第２実施形態の給紙カセット４０では図９および図１０に示すように、第１係合突起６１の下方への突出量Ｈ６１は、第２係合突起６２の下方への突出量Ｈ６２大きい。このため、ロック部５５が弾性変形していない水平状態（図９および図１０の状態）で、第１係合突起６１の下面６０ｃは第２係合突起６２の下面６０ｃよりも下方に配置されている。
【００４３】
この給紙カセット４０では、レバー部５８を操作してロック部５５を上方に弾性変形させた状態で幅合わせカーソル５０ａを用紙２６の側端に当接させた後、レバー部５８の操作を解除した際に用紙２６の圧力で幅合わせカーソル５０ａが矢印Ｃ方向（用紙２６から離れる方向）に少し移動した場合であっても、図１１に示すように第１係合突起６１の第３傾斜面６０ｄがより確実に第２係合突起６２よりも先に固定ラック歯４１ｃに係合する。
【００４４】
第２実施形態のその他の構造は、上記第１実施形態と同様である。
【００４５】
本実施形態では、上記のように、第１係合突起６１は、第２係合突起６２よりも下方に突出するように形成されている。これにより、第１係合突起６１を確実に最初に固定ラック歯４１ｃに係合させることができるので、第３傾斜面６０ｄをより確実に固定ラック歯４１ｃに係合させることができる。このため、用紙２６の側端が位置ズレするのをより確実に抑制することができる。
【００４６】
第２実施形態のその他の効果は、上記第１実施形態と同様である。
【００４７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４８】
例えば、上記実施形態では、幅合わせカーソルの一方（幅合わせカーソル５０ａ）のみに係合突起６０を有するロック部５５を設けた例について示したが、本発明はこれに限らない。幅合わせカーソル５０ａおよび５０ｂの両方にロック部５５を設けてもよい。また、後端カーソル７０にロック部５５を設け、用紙２６の後端（端縁）の位置ズレを抑制してもよい。
【００４９】
また、上記実施形態では、第３傾斜面６０ｄを有する第１係合突起６１を最も接続部５６ａ側に配置した例について示したが、本発明はこれに限らない。第１係合突起６１を最も接続部５６ａ側の位置以外の位置に配置してもよい。この場合、第３傾斜面６０ｄを有する第１係合突起６１が最初に固定ラック歯４１ｃに係合するように、下方への突出量を大きくすればよい。また、全ての係合突起６０に第３傾斜面６０ｄを設けてもよい。
【００５０】
また、上記実施形態では、係合突起６０に、水平方向に延びる下面６０ｃを設けた例について示したが、本発明はこれに限らず、係合突起６０に、水平方向に延びる下面６０ｃを設けなくてもよい。
【００５１】
また、上記実施形態では、係合突起６０を複数（ここでは３つ）設けた例について示したが、本発明はこれに限らず、係合突起６０を１つだけ設けてもよい。
【００５２】
また、上記実施形態では、第１係合突起６１に、鉛直下方向に延びる第２鉛直面６０ｂを設けた例について示したが、本発明はこれに限らず、第１係合突起６１に第２鉛直面６０ｂを設けなくてもよい。ただし、ロック部５５に係合突起６０を１つだけ設ける場合は、その係合突起６０に第２鉛直面６０ｂを設ける必要がある。
【００５３】
また、上述した実施形態および変形例の構成を適宜組み合わせて得られる構成についても、本発明の技術的範囲に含まれる。
【符号の説明】
【００５４】
１  カセット装着部
２６  用紙（シート）
４０  給紙カセット（シート収納カセット）
４１  底面部
４１ｃ  固定ラック歯（ラック歯）
４１ｄ  固定ラック（ラック）
４１ｅ  第１傾斜面
４１ｆ  第１鉛直面
４６  用紙積載板（シート積載板）
５０ａ  幅合わせカーソル（カーソル）
５２ａ  カーソル本体部
５２ｂ  規制部
５５  ロック部
５６  接続片
５６ａ  接続部
５８  レバー部
６０  係合突起
６０ａ  第２傾斜面
６０ｂ  第２鉛直面
６０ｃ  下面
６０ｄ  第３傾斜面
６１  第１係合突起
６２  第２係合突起
１００  画像形成装置
Ｓ  用紙収容部（シート収容部）
【図１】
2018154480.tif 000003
【図２】
2018154480.tif 000004
【図３】
2018154480.tif 000005
【図４】
2018154480.tif 000006
【図５】
2018154480.tif 000007
【図６】
2018154480.tif 000008
【図７】
2018154480.tif 000009
【図８】
2018154480.tif 000010
【図９】
2018154480.tif 000011
【図１０】
2018154480.tif 000012
【図１１】
2018154480.tif 000013